(57)【要約】【課題】接着剤が用いられることなく、鏡板の端部に固定可能な鏡板把持サッシを提供する。【解決手段】鏡板５の端部に設けられる可撓性を有する鏡板把持サッシ１である。鏡板５の前記端部の端面（下端面５１）を支持可能な支持部２と、支持部２に連設され、鏡板５の前面５２を押さえる前壁部と、支持部２に連設され、鏡板５の後面５３を押さえる後壁部と、前記前壁部に設けられる前締め付け部３３と、前記後壁部に設けられる後締め付け部４１と、前締め付け部３３と後締め付け部４１とが近接するように締め付ける締め付け部材と、を備える。前記締め付け部材による前記締め付けにより、前記前壁部と前記後壁部とが近接して、前記前壁部と前記後壁部とにより鏡板５が挟持される。【選択図】図１
2014209991.tif 000002
【特許請求の範囲】
【請求項１】
鏡板の端部に設けられる可撓性を有する鏡板把持サッシであって、
前記鏡板の前記端部の端面を支持可能な支持部と、
前記支持部に連設され、前記鏡板の前面を押さえる前壁部と、
前記支持部に連設され、前記鏡板の後面を押さえる後壁部と、
前記前壁部に設けられる前締め付け部と、
前記後壁部に設けられる後締め付け部と、
前記前締め付け部と前記後締め付け部とが近接するように締め付ける締め付け部材と、
を備え、
前記締め付け部材による前記締め付けにより、前記前壁部と前記後壁部とが近接して、前記前壁部と前記後壁部とにより前記鏡板が挟持されることを特徴とする鏡板把持サッシ。
【発明の詳細な説明】
【技術分野】
【０００１】
本発明は、鏡板の端部に設けられる鏡板把持サッシに関するものである。
【背景技術】
【０００２】
従来より、鏡板の端部に設けられるサッシが利用されている（例えば特許文献１参照）。特許文献１に示されるサッシは、鏡板の端部の端面と対向する支持部と、支持部に連設され、鏡板の前面側を押さえる前壁部および鏡板の後面側を押さえる後壁部と、を備えている。
【先行技術文献】
【特許文献】
【０００３】
【特許文献１】特開２００７−９８０３５号公報
【発明の概要】
【発明が解決しようとする課題】
【０００４】
上記従来例にあっては、鏡板とサッシの固定にあたり、接着剤が用いられるものであった。
【０００５】
本発明は上記従来の問題点に鑑みて発明したものであって、その目的とするところは、接着剤が用いられることなく、鏡板の端部に固定可能な鏡板把持サッシを提供することを課題とするものである。
【課題を解決するための手段】
【０００６】
上記課題を解決するために、本発明は、以下のような構成とする。
【０００７】
鏡板の端部に設けられる可撓性を有する鏡板把持サッシであって、前記鏡板の前記端部の端面を支持可能な支持部と、前記支持部に連設され、前記鏡板の前面を押さえる前壁部と、前記支持部に連設され、前記鏡板の後面を押さえる後壁部と、前記前壁部に設けられる前締め付け部と、前記後壁部に設けられる後締め付け部と、前記前締め付け部と前記後締め付け部とが近接するように締め付ける締め付け部材と、を備え、前記締め付け部材による前記締め付けにより、前記前壁部と前記後壁部とが近接して、前記前壁部と前記後壁部とにより前記鏡板が挟持されることを特徴とする。
【発明の効果】
【０００８】
本発明にあっては、締め付け部材による締め付けにより、前壁部と後壁部とが近接して、前壁部と後壁部とにより前記鏡板が挟持され、鏡板の端部に鏡板把持サッシが固定される。これにより、鏡板と鏡板把持サッシの固定に接着剤が不要となる。
【図面の簡単な説明】
【０００９】
【図１】本発明の一実施形態の鏡板把持サッシを用いた鏡扉を示し、（ａ）は正面図であり、（ｂ）は側面図であり、（ｃ）は下面図であり、（ｄ）は（ａ）のＡ−Ａ断面図である。
【図２】同上の鏡板把持サッシを用いた洗面化粧台を示し、（ａ）は正面図であり、（ｂ）は要部の平面視における断面図である。
【図３】同上の鏡板把持サッシを示し、（ａ）は正面図であり、（ｂ）は下面図であり、（ｃ）は側面図であり、（ｄ）は（ａ）のＢ−Ｂ断面図である。
【図４】同上の鏡板把持サッシを用いた鏡扉を示し、（ａ）は分解斜視図であり、（ｂ）は斜視図である。
【発明を実施するための形態】
【００１０】
以下、本発明の一実施形態について添付図面に基いて説明する。
【００１１】
鏡板把持サッシ１は、図１、図４に示すように、鏡板５の上端部および下端部に設けられ、バックパネル６（被取付基板）に固定されるものである。本実施形態における鏡板把持サッシ１は、図２に示すように、キャビネット８が開閉自在に備える鏡扉７のバックパネル６に、鏡板５を固定するものである。なお、バックパネル６は、キャビネット８の鏡扉７が備えるものでなく、開閉自在に設けられないものでもよい。
【００１２】
本実施形態におけるキャビネット８は、図２に示すように、洗面台９０の上方に設けられるもので、洗面台９０及びキャビネット８で洗面化粧台９が構成される。洗面台９０の上部には、上方に開口する洗面ボウル（不図示）が設けられている。洗面台９０の上面後端部には上方に突出した立ち上がり壁部９１が形成されている。立ち上がり壁部９１の前面には洗面ボウルに水を供給する給水部９２と、給水部９２から水を吐出するか否かを切り替えるための操作部９３が設けられている。
【００１３】
キャビネット８は、キャビネット本体８１と、照明装置８２と、鏡扉７と、を備えている。キャビネット本体８１は、前方に開口する箱状をしたもので、内部が収納空間となり、前開口を鏡扉７が開閉自在に閉塞するものである。
【００１４】
鏡扉７は、図１、図４に示すように、バックパネル６と、鏡板５と、鏡板把持サッシ１と、蝶番７１と、を備えている。バックパネル６は、本実施形態においては、図４に示すように、正面視略矩形状をしており、上端部および下端部の横方向の一部（本実施形態においては図４における左端の隅部）に、蝶番７１が配置されるための切欠６１が形成されている。また、上端部および下端部には、横方向に複数の挿通孔６２が形成されている。この挿通孔６２は、後述する固着孔３４および貫通孔４２と連通可能となる位置に形成される。
【００１５】
鏡板５は、本実施形態においては図１、図４に示すように、正面視略矩形状をしており、横方向の長さはバックパネル６の横方向の長さと略同じで、縦方向の長さは、バックパネル６の縦方向の長さよりも短く形成されている。鏡板５の上端部および下端部に、鏡板把持サッシ１が設けられる。  
【００１６】
鏡板把持サッシ１は、図１、図３に示すように、支持部２と、前押さえ部３と、後押さえ部４と、を備えるもので、可撓性を有する材料により一体的に形成される。可撓性を有する材料としては、例えば合成樹脂が好適に用いられるが、特に限定されない。鏡板把持サッシ１は、射出成形等の成形により当初より一体に形成されてもよいし、別々に成形された複数の部分が溶着等により一体に形成されてもよい。
【００１７】
支持部２は、上面に、鏡板５の下端面５１が載置されて鏡板５の荷重を支持するもので、横方向を長手方向とする。
【００１８】
前押さえ部３は、図１、図３に示すように、支持部２の前端部から内側（支持する鏡板５の中央部側）に突出するもので、横方向を長手方向とする。前押さえ部３の後面が、鏡板５の上端部または下端部の前面５２を押さえる。さらに、支持部２の前端部から外側（支持する鏡板５の中央部から離れる側）に突出する前突出部３１が設けられる。
【００１９】
前突出部３１は、横方向を長手方向とする板状をしたもので、前突出部３１の後側に手挿入空間３２が形成される。そして、使用者が手挿入空間３２に手を挿入して、前突出部３１の後面を前方へ引くことで、鏡扉７を前方へ回動させることができる。このような前押さえ部３と前突出部３１により、前壁部が形成される。また、前突出部３１の横方向の端部からは、後方に側壁部１１が設けられている。そして本実施形態においては、前突出部３１の後面に、前締め付け部３３が設けられるものである。
【００２０】
前締め付け部３３は、図１、図３に示すように、横方向に離間して複数設けられるもので、本実施形態では、支持部２の下面と連結されている。前締め付け部３３には、その後面に前方に向けて凹む穴または前後に貫通する孔（本実施形態では前後に貫通する孔）からなり、雌ねじが設けられる固着孔３４が形成される。また本実施形態では、前締め付け部３３の固着孔３４が設けられた部分の前突出部３１側の横方向の中間部に、外側に連通する間隙３５が形成されている。また本実施形態では、前突出部３１の後面の前締め付け部３３の間に、リブ３６が設けられている。
【００２１】
後押さえ部４は、図１、図３に示すように、支持部２の後端部から内側に突出するもので、横方向を長手方向とする。後押さえ部４の前面が、鏡板５の上端部または下端部の後面５３を押さえるもので、本実施形態においては、バックパネル６を介して鏡板５の上端部または下端部の後面５３を押さえる。本実施形態においては、後押さえ部４の後面の横方向の一部（本実施形態においては図３（ｂ）における左端部）に、鏡扉７がキャビネット本体８１の前開口を閉塞する際、前開口と鏡扉７とが略平行になるようにキャビネット本体８１に当接する当接部４４が設けられている。さらに、支持部２の後端部から外側に突出する後締め付け部４１が設けられる。
【００２２】
後締め付け部４１は、図１、図３に示すように、横方向を長手方向とする板状をしたもので、前締め付け部３３の後側に自然状態（後述する）における所定距離の空隙１０をあけて、前締め付け部３３と対向するように設けられる。本実施形態においては、空隙１０は、長手方向においてバックパネル６の横方向の長さに亘って形成されるとともに、支持部２を上下に貫通するように形成されており、前押さえ部３と後押さえ部４とは、側壁部１１により連結されている。後締め付け部４１は、前後に貫通する貫通孔４２が形成されている。正面視において、貫通孔４２と固着孔３４とは同じ位置に形成される。そして、貫通孔４２の周囲の後面が、締め付け部材の後部の前面が当接して締め付ける被締め付け部４３となる。本実施形態では、図示しないが、締め付け部材がボルトまたはビス等のねじ部材であり、後部は、ねじ部材の頭部である。貫通孔４２は、ねじ部材の軸部が挿通可能で頭部が挿通不可の軸部挿通孔４２ａと、頭部が挿通可能で頭部が収容される頭部挿入孔４２ｂと、で構成される。そして、頭部挿入孔４２ｂの後面が被締め付け部４３となっている。なお、貫通孔４２が全て軸部挿通孔４２ａとなっていて、後締め付け部４１の後面が被締め付け部４３となっていてもよい。このような後押さえ部４と後締め付け部４１により、後壁部が形成される。
【００２３】
上記鏡板把持サッシ１は、鏡板５とバックパネル６の上端部と下端部にそれぞれ取り付けられるもので、本実施形態においては、左右が逆である点のみ異なり、他は同一である二つの鏡板把持サッシ１が、鏡板５の上下にそれぞれ取り付けられる。図１（ｄ）、図４（ｂ）に示すように、バックパネル６の上端部と下端部がそれぞれ、鏡板把持サッシ１の支持部２と前押さえ部３と後押さえ部４とで囲まれる側より、鏡板把持サッシ１の空隙１０に挿入される。ここで、前締め付け部３３と後締め付け部４１とが、締め付け部材により締め付けられていない自然状態において、空隙１０の間隔（前後長さ）は、バックパネル６の厚みよりも長く形成されている。バックパネル６の挿通孔６２は、前締め付け部３３の固着孔３４と後締め付け部４１の貫通孔４２と連通する
ように位置が合わせられる。
【００２４】
鏡板５の上端部と下端部はそれぞれ、鏡板把持サッシ１の支持部２と前押さえ部３と後押さえ部４とで囲まれる部分に挿入される。ここで、前押さえ部３と後押さえ部４の間隔（前後長さ）は、自然状態において、鏡板５の厚みよりも長く形成されている。
【００２５】
そして、後方より後締め付け部４１の貫通孔４２に締め付け部材の軸部が挿入され、軸部は、バックパネル６の挿通孔６２を挿通して、前締め付け部３３の固着孔３４に螺合されて、固着される。締め付け部材が螺進すると、締め付け部材の頭部が被締め付け部４３（頭部挿入孔４２ｂの後面）に当接し、締め付け部材により締め付けられて、合成樹脂で形成される鏡板把持サッシ１が撓んで、前締め付け部３３と後締め付け部４１とが近接する。前締め付け部３３と後締め付け部４１とが近接すると、前押さえ部３と後押さえ部４とが近接する。これにより、前押さえ部３と後押さえ部４との間に位置する、鏡板５とバックパネル６の上端部と下端部が、前押さえ部３と後押さえ部４とにより前後から挟持されることとなる。従って、鏡板５の端部に鏡板把持サッシ１が固定されるにあたり、接着剤が用いられることがない。この結果、接着剤のコスト、接着剤の塗布にかかる手間およびコストが不要となる。さらに、鏡板５から鏡板把持サッシ１を分離するにあたり、接着剤を剥がす必要もなく、この場合も作業にかかる手間およびコストが低減され、使用済み接着剤からなる廃棄物も発生しない。
【符号の説明】
【００２６】
１    鏡板把持サッシ
１０  空隙
１１  側壁部
２    支持部
３    前押さえ部
３１  前突出部
３２  手挿入空間
３３  前締め付け部
３４  固着孔
３５  間隙
３６  リブ
４    後押さえ部
４１  後締め付け部
４２  貫通孔
４２ａ  軸部挿通孔
４２ｂ  頭部挿入孔
４３  被締め付け部
４４  当接部
５    鏡板
６    バックパネル
６１  切欠
６２  挿通孔
７    鏡扉
７１  蝶番
８    キャビネット
８１  キャビネット本体
８２  照明装置
９    洗面化粧台
９０  洗面台
９１  立ち上がり壁部
９２  給水部
９３  操作部
【図１】
2014209991.tif 000003
【図２】
2014209991.tif 000004
【図３】
2014209991.tif 000005
【図４】
2014209991.tif 000006